Podtech/llm-jp-corpus-v4-ja_patent huggingface dataset:
(57)【要約】      （修正有）【課題】譜面台に丁番と磁石を使い、足部分と一体化することによって、組み立て時及び組み立て移動時の時間的、精神的負担を削減する。【解決手段】譜面台本体部分１と、それを支える足部分９及び１０を、丁番を使い一体化することによって、間違えて組み立ててしまったり、組み立て時の移動のときに足が外れてしまうなどの精神的不安を無くし、丁番と磁石７と鉄板等適宜磁石の付く素材１３を使い、簡単に譜面台を組み立てられることによって時間的負担を無くす、また、鉄板等適宜磁石の付く素材を磁石を使い折りたためることによって、収納時や持ち運び時にもコンパクトになることが利便性に優れている。【選択図】図１１
0003137507.tif 000002
【実用新案登録請求の範囲】
【請求項１】
譜面台本体と組み立てたときに支える足の部分を、丁番を使って一体化し、丁番と磁石を使い簡単に組み立てられるようにすると共に簡単に折りたため、持ち運びや収納性が優れているところを特徴とする簡単譜面台
【考案の詳細な説明】
【技術分野】
【０００１】本考案は、丁番と磁石を使って譜面台本体とそれを支える足部分を一体化し、簡単に組み立てられ、持ち運び時には折りたためる足部分を設けた譜面台に関するものである
【背景技術】
【０００２】演奏時に譜面台を組み立てる場合、譜面台とそれを支える足部分が別々になっていた物をその都度組み立て、片付け時も別々にしていた
【考案の開示】
【考案が解決しようとする課題】
【０００３】既存の譜面台は、譜面を置く本体と、足部分とが別々になっていて、演奏する毎に別々になっている足部分を差し込み組立てなければならないばかりでなく、足を差し込む方向が判りにくいものがあり、時間的、精神的負担である。また組み立てた状態で持ち運びの場合にも、足部分が外れてしまうことが有り、常に不安を伴う。従って、譜面台本体と足の部分を一体化することにより、外れることもなく、前述の欠点を解決しようとするものである
【課題を解決するための手段】
【０００４】本考案は、譜面台本体部分とそれを支える足部分を、丁番を使って一体化している。
また、組み立て時には丁番と磁石を使って、組み立てやすくしているばかりでなく、移動時や収納時にバラバラにならないことにより問題点を解決している。
【考案の効果】
【０００５】上述のように、本考案の簡単座奏用譜面台は、本体と足部分が一体化していることによって簡単に組み立てられることはもちろん、収納しやすい。また足部分が外れないことにより組み立て時に間違うことも無く、組み立てた状態で移動しても足が外れてしまうことが無いことにより、常にある不安を無くせる。
【考案を実施するための最良の形態】
【０００６】譜面台本体は持ち運びに便利なように丁番を使い折りたためるようにする。
本体下部に丁番で足部分を取り付けることにより一体化し、組み立て時には足部分を立て、足部分についている丁番を使い内側に折り曲げ、本体下部に取り付けてある磁石に足部分を固定する。又、収納時は、譜面台本体の上部に取り付けている磁石に固定し、また、本体下部に取り付けてある磁石で足部分を固定し折りたたんで持ち運ぶことによって譜面台本体と足部分がひらいてしまうことを防ぐ。
【実施例】
【０００７】以下、添付図面に従って一実施例を説明する。
１は木材等適宜素材にて形成され、譜面等置いたときに、傾斜によって譜面等が落ちないように支えることを目的とする、木材等適宜素材を使った受け部３をつけ、持ち運び時に小さく折りたためるように４を付け、折りたたみ時に開かないことを目的とする５と６をつけている。
また、素材の磨耗を防ぐことを目的とする２を側面部分につけて補強している【０００８】の１′は譜面台本体の裏側で、組み立て時に足部分の１３を固定することを目的とする７、収納時に折りたたんだ足部分の１４を本体に固定することを目的とする８を取り付けた。【０００９】９は譜面台本体と同じく木材等適宜素材にて形成された足部分で、本体と一体化することを目的とする１１を取り付けた。足部分を組み立てる際、１０と１０′を内側に折りたたむことを目的とする１２を取り付け、組み立て時に本体に取り付けている７と固定するために１３を取り付けた
また収納時に開かないように固定することを目的とする８と１４を取り付けた。【００１０】１の面を下にし、９を立て、１０と１０′を内側に折りたたみ、１３を７に付け、上下を反転し、５と６を開くことにより譜面台が完成する
する
【図面の簡単な説明】
【００１１】
【図１】「本体部分の上面を示した平面図である」
【図２】「本体部分の下面を示した平面図である」
【図３】「本体部分の側面稼動部を示した図である」
【図４】「本体部分の側面を示した図である」
【図５】「足部分の外側の平面図である」
【図６】「足部分の内側の平面図である」
【図７】「足部分を内側に折り曲げた状態の図である」
【図８】「本体部分と足部分をたたんだ状態の側面図である」
【図９】「譜面台を組み立てた時の側面図である」
【図１０】「譜面台を組み立てた時の前後図である」
【図１１】「譜面台を組み立てる時の説明図である」
【符号の説明】
【００１２】  １  譜面台本体
２  補強素材
３  譜面受け部
４、４′、１１、１２  丁番
５、７、８  磁石
６、１１、１３、１４  鉄板等適宜磁石の付く素材
９  譜面台足中心部分
１０、１０′  譜面台足部分折り曲げ部
【図１】
0003137507.tif 000003
【図２】
0003137507.tif 000004
【図３】
0003137507.tif 000005
【図４】
0003137507.tif 000006
【図５】
0003137507.tif 000007
【図６】
0003137507.tif 000008
【図７】
0003137507.tif 000009
【図８】
0003137507.tif 000010
【図９】
0003137507.tif 000011
【図１０】
0003137507.tif 000012
【図１１】
0003137507.tif 000013
【手続補正書】
【提出日】平成19年8月1日(2007.8.1)
【手続補正１】
【補正対象書類名】実用新案登録請求の範囲
【補正対象項目名】全文
【補正方法】変更
【補正の内容】
【実用新案登録請求の範囲】
【請求項１】
表裏に磁石を有する天板と、その天板を接続し一体化することを目的とする丁番を中心部に有し、その両側に可動部を設けた脚部よりなる譜面台で、その丁番の開閉と磁石を付けたり放したりすることで簡単に組み立てられ、また簡単に折りたためることにより持ち運びや収納性が優れているところを特徴とする譜面台
(57)【要約】      （修正有）【課題】比較的安価であり、持ち運びもゴルフバックに容易に収納でき、クラブの角度にあわせて、角度を容易に変える事が出来るスウィングプレーンのゴルフ練習機を提供する。【解決手段】数本の直線塩ビパイプＡ及び連結パイプＢ，Ｄを自在連結することにより、スウィングプレーンの角度が容易に変更でき、その内１本のパイプＸについては、周囲をスポンジにより保護することによりクラブが当たっても損傷しないスウィングプレーンゴルフ練習機。【選択図】図１
0003137532.tif 000002
【実用新案登録請求の範囲】
【請求項１】
数本の直線塩ビパイプ及び連結パイプを自在連結することにより、スウィングプレーンの角度が容易に変更でき、その内１本のパイプについては、周囲をスポンジにより保護することによりクラブが当たっても損傷しないスウィングプレーンゴルフ練習機。
【考案の詳細な説明】
【０００１】ゴルフ練習機
【技術分野】
【０００２】この考案は、スウィングプレーンのゴルフ練習機に関するものである。
【背景技術】
【０００３】これまでのゴルフ練習機は高価で、組み立ても難しく、容易にスライスの修正が出来なかった。
【考案の開示】
【考案が解決しようとする課題】
【０００４】これまでの練習機はゴルフクラブを振り回すことにより、周囲にかなりの恐怖感、衝撃を与え、ぶつかった際にクラブ及び練習機の破損の危険があり、又アマチュアゴルファーの大半が悩んでいるスライスボールの修正について決定的な修正方法の器具はなかった。
【課題を解決するための手段】
【０００５】本件練習機は比較的安価であり、持ち運びもゴルフバックに容易に収納でき、クラブの角度にあわせて、角度を容易に変える事が出来る。
以上の構成よりなる、スウィングプレーンのゴルフ練習機である。
【考案の効果】
【０００６】スライスボールは、クラブのプレーンがアウトからインに振られることにより発生するが、本練習機は、マットあるいは地面にプレースしたボールから右斜め方向に置くことにより、その内１本の周りがスポンジで囲まれた直線のパイプが斜めにあるため、自然にクラブがインからアウトに振られることとなり、正しいドローボールの軌道を身につける事が出来る練習器具である。
【考案を実施するための最良の形態】
【０００７】図１のように、まず１本の直線パイプＡをボールの前、打ち出す方向地面Ｖに置き、そのＡパイプに地面Ｖから斜めに地面Ｖから見て、ある程度の角度をもった周りをスポンジで囲んだもう１本の直線パイプＸをＴ字型連結パイプＢで連結し、そのＢパイプに更に短いパイプＣにより、Ｌ字型パイプＤ連結し、そのＤパイプにＡパイプから見て、直角にＥパイプを連結し、Ｘパイプが倒れることを防いでいる。
図２のように、図１で構成された器具を、マットあるいは地面の上に置かれたボールの右斜め後方に置き、バックスウィング及びダウンスウィングの際に、パイプＸに当たらないようクラブを振るために、自然にスライスボールが矯正されることとなる。
【図面の簡単な説明】
【０００８】
【図１】本考案のゴルフ練習機を示した平面図である。
【図２】同上斜視図である。
【符号の説明】
【０００９】Ａ  パイプ  Ｂ  Ｔ字連結部  Ｃ  短いパイプ
Ｄ  Ｌ字連結部  Ｅ  パイプ  Ｖ  地面
Ｘ  スポンジ付きパイプ
【図１】
0003137532.tif 000003
【図２】
0003137532.tif 000004
(57)【要約】      （修正有）【課題】自在に繋げたり外したりできる、シンプルな形状と機能をもつ繋脱自在チェーンリングを、創造的な造形を手軽に楽しめる造形用リング素子として、又はジョイント用素子として提供する。【解決手段】弾性体よりなる一重のリング１１に、同軸に於いて突合せ状に閉口する開閉口１２を設け、その開閉口を結合する際、開閉口の突合せ部を相対的に反対方向に捩じり、その際リング体に生じる捩じり応力による反発回転と共に、ネジ機能により同軸において螺嵌結合する結合部１３から成る。【選択図】図２
0003137540.tif 000002
【実用新案登録請求の範囲】
【請求項１】
弾性体よりなる一重のリング（１１）と、同軸に於いて突合せ状に閉口する開閉口（１２）と、前記開閉口（１２）を結合する際、前記開閉口（１２）の突合せ部を相対的に反対方向に捩じり、その際リング体に生じる捩じり応力による反発回転と共に、同軸において螺嵌結合する結合部（１３）からなる造形用繋脱自在チェーンリング。
【請求項２】
弾性体よりなる一重のリング（１１）と、同軸に於いて突合せ状に閉口する開閉口（１２）と、前記開閉口（１２）を結合する際、前記開閉口（１２）の突合せ部を相対的に反対方向に捩じり、その際リング体に生じる捩じり応力による反発回転と共に、同軸において螺嵌結合する結合部（１３）からなるジョイント用繋脱自在チェーンリング。
【考案の詳細な説明】
【技術分野】
【０００１】  本考案は、造形用又はジョイント用の繋脱自在チェーンリングに関する。
【背景技術】
【０００２】  リング体を形成する素材の弾性を利用して開閉口が開閉する合成樹脂製のチェーンリングとしては、例えば意匠登録１４０１９０がある。このリングは、開閉口の部分がコイル状に二重になっている丸環（丸形のリング）の繋脱自在造形玩具である。
【考案が解決しようとする課題】
【０００３】  この繋脱自在リングには次のような欠点があった。
（イ）リングを鎖のようにリング同士を繋ぐ（以下、繋環という）場合、リング同士の面を同じ面で８の字状に突合せ、二重部分の隙間（この隙間は受口的機能を持つ）に押し込むようにして、スプリング状に開閉口を開き、更に挿入し、二重部分をクリアーして繋環されるが、この丸環の互いの面はこのとき懸吊状態での直交した面になろうとする捻りの動きを伴う。この捻りの動きは無造作に繋環すると思わぬ方向に捩じれ、鎖の網のような複雑な造形では思うような結果が得られないことが多い。
（ロ）一つのリングに同時に数個のリングを繋いで、平面方向又は立体方向へと任意に造形していく中で、リングの一重部分と開閉口の二重部分の段差が邪魔してバランスのよい繋環ができない。又この二重部分がデザイン面でも好ましくない。
以上のように、工芸または手芸材となり得る基本的な形状と機能を備えていないので、繋いで遊ぶおもちゃのイメージから抜け出せない。
【考案の開示】
【０００４】  これらの欠点から次のような課題が提起される。
（イ）工芸または手芸にも使える造形用の繋脱自在チェーンリング素子として、洗練された基本的な形状と機能。
（ロ）一つのリングに数個のリングでもバランスよく繋げられること。
（ハ）閉口時に於ける開閉口の継ぎ目は目立たないこと。
（ニ）リング同士の繋環は互いに直交した面を保持した状態で捩れのない、イメージしやすい動きの中でできること。
（ホ）繋脱しやすい簡便なリング素子の構造。
【課題を解決するための手段】
【０００５】  上記目的を達成するために、弾性体よりなる一重のリングと、同軸に於いて突合せ状に閉口する開閉口と、開閉口を結合する際、開閉口の突合せ部を相対的に反対方向に捩じり、その際リング体に生じる捩じり応力による反発回転と共に、同軸において螺嵌結合する結合部から成る。
【０００６】  請求項１記載の造形用繋脱自在リングの捩じりを伴う開閉口の結合は、前もって捩っておいたリングの反発の応力を利用して捩じ込むのでネジの緩み回転が抑えられ、機能的に外れにくい性向が得られる。
【考案の効果】
【０００７】  上記造形用の繋脱自在チェーンリングの構成は、物と物を繋ぐジョイントとしての機能も備えている。
【０００８】  一重の丸環はデザイン面でも洗練された美しさがあり、また、一つのリングに同形のリング数個を平面方向または立体的方向にバランスよく繋環でき、造形用の材料素子として基本的な機能と形状を備えている。
【考案の実施の形態及び実施例】
【０００９】  以下、本考案の実施の形態を実施例にもとづき図面を参照して説明する。本考案の実施例に於いて弾性体よりなるリングは、合成樹脂を素材にしたものである。
図１において、リング断面５ａ、５ｂが円形の合成樹脂製のリング１ａ、１ｂの円周上に開閉口２ａ、２ｂを設ける。この開閉口２ａ、２ｂはそれぞれのリング１ａ又は１ｂの同軸において突合せ状の一重のリングで、突合せ面双方は常態では閉口しているが、リング同士を繋脱するときは図のように開閉口２ａを矢印方向にＣの字状に押し開く。リング１ｂはリング１ａのリング面に対して直交した面の状態で開閉口２ａを通して繋脱する。開閉口２ａは押し開いた時のリングの弾性応力により再び閉口する。また、開閉口２ａはスプリングワッシャー状に押し開いてリング同士を繋脱することも可能である。なお、繋脱において少なくとも一方のリングは開閉口のあるリングで、他方のリングは開閉口のないリングでも繋脱は可能であることは云うまでもない。
【００１０】図２に示す実施例では、開閉口１２の突合せ部双方に、リング１１の軸方向において嵌脱する凹凸部材による結合部１３の軸周りにネジ１４を形成し、螺嵌結合されている。なお、図にはないが、ネジ１４には捩じ込みの入り口をネジ周り一周に均等間隔で４ヶ所設け、捩じ込み終点は４分の１回転以内にネジ山によりストップするストッパーを設ける。つまり、螺嵌脱する際は４分の１回転以内の捩じりを要する。
【産業上の利用可能性】
【００１１】  請求項１記載の造形用繋脱自在チェーンリングは、牽引には弱い構造であるが、特に持続的な牽引強度を重視しない使用における利用方法として、ビーズのように多彩色を活かし、カラフルなデザイン用リング材を始め、知育用材、アクセサリー、さらに、カーテン、のれん、整理用品、ジョイントなどとして提供できる。
【図面の簡単な説明】
【図１】リング同士の繋脱を示す平面図である。
【図２】螺嵌結合によるリングで、開閉口の結合部分は縦断面図である。
【符号の説明】
１ａ、１ｂ、１１  リング
２ａ、２ｂ、１２  開閉口
１３  結合部
１４  ネジ
５ａ、５ｂ  リング断面
【図１】
0003137540.tif 000003
【図２】
0003137540.tif 000004
(57)【要約】      （修正有）【課題】従来ネクタイ取付具のフックは片手でつかむと変形し易く、作り難く、また弾性体取り付けも強度不足の問題がある。【解決手段】フック１は、鋼線を正面を三角形に成形し上部右隅より奥に少々曲げて、次に左に少々曲げ、次に下方に曲げて、側面形状を７字形にし、弾性体取付具２に折り曲げ取り付ける。弾性体取付具２は電気部品の端子を使用し、弾性体２をゴムとして両端で固定する。【選択図】図１
0003137535.tif 000002
【実用新案登録請求の範囲】
【請求項１】
フックは、フック（１）で部材は鋼線で、正面は閉じた形状で、側面形状は７字形状に成形して、上部の弾性体取付具（２）に取り付き弾性体（３）は上部と下部の弾性体取付具（２）の中間に取付け構成したフック装置。
【請求項２】
フックは、フック（５）で部材は鋼線で、正面はＶ字又は種々の形状で、請求項１のフック装置。
【請求項３】
フックは、フック（７）で、部材は透明又は着色板材で、正面は種々な形状で、請求項１のフック装置。
【考案の詳細な説明】
【考案の詳細な説明】
【技術分野】
【０００１】  本考案は、片手でも楽に着用出来るネクタイに関するものである。
【背景技術】
【０００２】  従来の技術は、実用新案登録第３０８５６４０号がある。
【考案が解決しようとする課題】
【０００３】  上記登録のものは、図４に示す如く片手でフック（８）を親指と人指し指でフックの上部を摘むと左右に変形し易いのと、製品を重ねると双方が絡み易い、更にフックと弾性体の取り付け部が破損し易い構造となっている（図４）。
【課題を解決する為の手段】
【０００４】  フック（８）の正面形状を従来のＶ字形を、鋼線を片持ではなく閉じた形状として、横の方向の力に対して歪まない形状とする。又フックの正面形状をＶ字又は種々な形状として左右対照の側面形状とする。又は部材を透明や着色の板材を使用し、強度を強化をする。更に弾性体の両側の固定方法を弾性体を直接するのではなく弾性体取付具（２）でするように、強度を強化をする。
【考案を実施するための最良の形態】
【０００５】    以下、添付図面に従って実施例を説明をする。実施例１、フック（１）は図１に示すように、鋼線を正面を三角形に成形し上部右隅より奥に少々曲げて、次に左に少々曲げ、次に下方に曲げて、側面形状を、７字形にし、弾性体取付具（２）に折り曲げ取り付ける。弾性体取付具（２）は電気部品の端子を使用し、弾性体（２）をゴムとして両端で固定する。
実施例２、フックの形状はフック（５）で、図２に示す如く、鋼線を正面Ｖ字形として両側を奥行きに少々曲げ次に下側に曲げて中間部で左右の鋼線をわせて更に進み弾性体取付具（２）に取り付け、側面形状と弾性体の取り付けを実施例１と同様とする。
実施例３、フックの形状はフック（７）で、図３に示す如く、透明、又は着色の板材を使用した、側面形状と弾性体の取り付けを実施例１と同様とする。
【考案の効果】
【０００６】１、フックの強度が増し、フックの左右の歪みが解消された。２、製品を重ねてもフックの絡まりが防止出来た。３、弾性体の破損がなくなり、製造が楽になる等の効果があり。
【図面の簡単な説明】
【図１】  フック装置立体図（フック三角形）
【図２】  フック装置立体図（フックＶ字形）
【図３】  フック装置立体図（フック板材）
【図４】  従来のフック装置立体図
【符号の説明】
１、フック。  ２、弾性体取付具。    ３、弾性体。  ４、フック装置取付金具。
５、フック。  ６、弾性体止め金具。  ７、フック。  ８、フック。
【図１】
0003137535.tif 000003
【図２】
0003137535.tif 000004
【図３】
0003137535.tif 000005
【図４】
0003137535.tif 000006
(57)【要約】【課題】  本考案は、お碗を伏せた形の台の上面に解放溝を設け、手指を乗せて安定させ、爪を切る作業を安全に行えるようにする。【解決手段】  本考案は図１の台上面に２の解放溝を設けて、爪を切る当該指を乗せ指先を安定的に固定し、先端に出た指先の爪を切る。その両側に３の解放溝を設けて隣の指を置き、爪切り作業の邪魔にならないよう隔離する。指は順次移行させて爪を切る。４によって台は上部と下部に開けられ、内部に爪切り用具等が収納でき、爪切り作業にすみやかに取りかかれることができる。【選択図】図１
0003137518.tif 000002
【実用新案登録請求の範囲】
【請求項１】
お碗を伏せた形の台の上面中央に爪を切る当該指を乗せて安定的に固定させる解放溝、およびその両側に隣の指を置く解放溝を設け、台内部に爪切り用具等が収納できる爪切り補助台。
【考案の詳細な説明】
【技術分野】
【０００１】  本考案は、お碗を伏せた形の台の上面に、爪を切る手指を乗せて定定的に固定させる解放溝が設けてある爪切り補助の台に関するものである。
【背景技術】
【０００２】  爪を切る時、指先がふるえたり揺れたりして安定せず、深爪を切ったりする危険があったので、それを防ごうとするものである。
【考案の開示】
【考案が解決しようとする課題】
【０００３】  高令者や病人、特に身障者や認知症の方が爪を切る時、指先が不安定で深爪など他の部位を傷つける危険性がある。爪を切る当該指の指先がふるえたり揺れたりしないようになっていれば切り易く、また介護者が切ってあげる場合も安全にできる。そのため指を固定させて危険を回避しようとするものである。
【課題を解決するたの手段】
【０００４】  台の上面に爪を切る当該指だけが一段高くなるよう、掌の方から指先に向って傾斜した解放溝を設ける、またその両側に平坦な解放溝を作り、そこに隣の指を置き爪を切るのに邪魔にならないようにする。
【考案の効果】
【０００５】  爪を切る当該指が不安定であれば、自身で切る時も介護者が切ってあげる場合も危険が伴う。指を溝に置くことによって安定的に固定されるので、深爪など他の部位を傷つけないようになる。また丸味をもった台を掌で把むような形になるので、手全体が安定する効果がある。
【考案を実施するための最良の形態】
【０００６】  台上面の中央の溝が指先に向って高くなるよう傾斜をつけることによって、爪を切る当該指の爪先が他の指と隔離でき、また他の指が爪を切る当該指の邪魔にならないよう固定する溝も設けてある。また丸味のある台は手が自然に把むようになるので手全体がより安定する形になっている。
【実施例】
【０００７】  以下、添付図面に添って実施例を説明する。図１の１は台の本体。２は台の上面中央に設けた解放溝で爪を切る当該指を置くためのものである。３は当該指の邪魔にならないように隣の指を乗せる解放溝である。これらの溝に該当する指を乗せ、爪を切り終った指を順次移行させて行く。他の指は台の外側に沿って自然に台を把むようになっていく。４は台の内部に爪切り用具などを収納するためネジ状にして台の上部と下部が開閉でき、爪切り作業がすみやかにできるようになっている。
【図面の簡単な説明】
【０００８】
【図１】本考案の指先方向からの正面図
【図２】上面図
【図３】側面図
【符号の説明】
【０００９】１  台本体
２  爪を切る当該指を乗せる解放溝
３  隣の指を乗せる解放溝
４  台を上部と下部に開閉するネジ部分
【図１】
0003137518.tif 000003
【図２】
0003137518.tif 000004
【図３】
0003137518.tif 000005
【手続補正書】
【提出日】平成19年8月23日(2007.8.23)
【手続補正１】
【補正対象書類名】実用新案登録請求の範囲
【補正対象項目名】全文
【補正方法】変更
【補正の内容】
【実用新案登録請求の範囲】
【請求項１】
お椀を伏せた形の台の上面中央に爪を切る当該指を乗せて安定的に固定させる解放溝、およびその両側に隣の指を置く解放溝を設け、台の内部に爪切り用具が収納できる爪切り補助台。
(57)【要約】【課題】  反対側の手を使うことなく、腕時計式ストップウオッチの機能が使用できるようにし、走者のバランスの保持、記録の低下の阻止が図れるようにした腕時計式ストップウオッチ作動機を提供する。【解決手段】  一方を人差し指、中指、薬指の固定部２と押金具３を有する握り金具４と腕時計式ストップウオッチを固定する金具８とリューズを押す金具７を有する他方部を芯線の入ったコードで連結し、バランス保持、記録の低下の阻止を図ってストップウオッチの機能を保持する。【選択図】図１
0003137516.tif 000002
【実用新案登録請求の範囲】
【請求項１】
人差し指、中指、薬指の三指に固定された押金具を親指で押すことにより腕時計に固定された押金具が連動して腕時計のリューズを押しストップウオッチの機能を持たせた腕時計式ストップウオッチ作動機
【考案の詳細な説明】
【技術分野】
【０００１】本発明は握り金具に押金具を備え腕時計固定部にリューズ押し金具を備えた腕時計式ストップウオッチ作動機である。
【背景技術】
【０００２】腕時計にストップウオッチ機能を持たせる技術は登録実用新案第３０９８８５３号広報により公知となっている。
【考案の開示】
【考案が解決しようとする課題】
【０００３】しかしながら、ストップウオッチを作動させるためには腕時計をした手とは反対側の手を使う必要があり、つまり両方の手を使わなければならない。
【課題を解決するための手段】
【０００４】そこで、本考案は以上の課題を解決すべく、反対側の手を使うことなく簡単にストップウオッチの機能を作動させるようにした装置である。【０００５】  本考案は、一方に人差し指、中指、薬指に固定された押し金具付き握り金具を有し、もう一方に腕時計に固定する金具及び、それに固定された腕時計のリューズを押す金具を有し、両方を芯線入りコードで連動させ作動するようにしたことを特徴としている。【０００６】  以上において、握り金具から腕時計固定部まで芯入りコードで連動している。
【実施例】
【０００７】  以下に、本発明に係わる腕時計式ストップウオッチ作動機の実施例を図１乃至図２に基いて説明する。本発明に係る腕時計式ストップウオッチ作動機の例を示す、図１において１は本発明に係る腕時計式ストップウオッチ作動機であり、２は人差し指、中指、薬指固定部３は押し金具、４はその握り金具、５は押し金具押し上げスプリング、６は芯線入りコード、７はリューズ押し金具、８は腕時計固定金具である。【０００８】  この腕時計式ストップウオッチ作動機１は、金属製の握り金具部４と腕時計を固定する金具８と腕時計のリューズを押す押し金具部７とその握り金具４とリューズを押す押し金具７を連動させる芯線入りコード６から構成されている。そして握り金具部４は略図のとおり、人差し指、中指、薬指を差し込む固定部２と押し金具３とスプリングを有しており、この握り金具部４とリューズを押す押し金具７が芯線入りコードにより連動し腕時計のリューズを作動させる。【０００９】  図２は、腕時計式ストップウオッチ作動機１によるストップウオッチ操作の１例を示したもので手に装着した状態で押し金具３を押し腕時計式ストップウオッチの作動を示したものである。【００１０】  このようにして腕時計式ストップウオッチは、片方の手の操作だけで作動させることができ、例えば走行中に両手を使ってバランスを崩すことなく通常の運動状態のままストップウオッチ機能を使用することができ記録等のアツプ又、正確さが期待できる。
【図面の簡単な説明】
【図１】本発明に係る腕時計式ストップウオッチ作動機の概略斜視図である。
【図２】本発明に係る腕時計式ストップウオッチ作動機によるストップウオッチ操作を説明する使用概略図である。
【符号の説明】
１．腕時計式ストップウオッチ作動機
２．人差し指、中指薬指固定部
３．押し金具
４．握り金具
５．スプリング
６．芯線入りコード
７．リューズ押し金具
８．腕時計固定金具
【図１】
0003137516.tif 000003
【図２】
0003137516.tif 000004
(57)【要約】【課題】  従来のテーブル用折りたたみ脚の連結金具は、ねじれ防止構造がないため、横荷重や斜め荷重などに対し、連結金具本体がねじれやすい構造であった。【解決手段】  この考案におけるテーブル用折りたたみ脚の連結金具のねじれ防止構造は、連結金具の天板接地面と、脚接地面にねじれ防止のための凸部を設けることにより、連結金具本体が強化され、横荷重や斜め荷重に対し強いねじれ防止構造を持つようにする。【選択図】図１
0003137514.tif 000002
【実用新案登録請求の範囲】
【請求項１】
テーブル用折りたたみ脚の連結金具において、ねじれ防止構造を設けたことを特徴とする、テーブル用折りたたみ脚の連結金具に係る
【請求項２】
請求項１において、ねじれ防止構造はテーブル用折りたたみ脚の連結金具の天板接地面と脚接地面にねじれ防止を目的とした凸部をプレス加工することで形成された、テーブル用折りたたみ連結金具のねじれ防止構造
【考案の詳細な説明】
【技術分野】
【０００１】  この考案はテーブルにおける折りたたみ脚の連結金具に関し、テーブルとして機能する場合に関し、連結金具にねじれが生じないようにするテーブル用折りたたみ連結金具のねじれ防止構造に係る。
【背景技術】
【０００２】  従来のテーブル用折りたたみ脚の連結金具は図４に示すとおり、テーブルの脚と天板は連結金具を介してテーブルとして使用する状態において、連結金具は天板接地面および脚接地面において平板な構造であった。
そのため、テーブル本体に横方向、もしくは斜め方向へ荷重がかかった時に連結金具本体がねじれてしまう現象が生じていた。
【考案の開示】
【考案が解決しようとする課題】
【０００３】  この考案は、図１および図２に示したようなテーブル用折りたたみ脚の連結金具の天板接地面、脚接地面に凸部を持つ構造にすることで、ねじれ現象の防止を目的としている。
【課題を解決するための手段】
【０００４】  本考案は以上のような点を鑑み考案されたものであり、図７のように天板金具と脚金具それぞれにねじれ防止を意図した凸構造（凸部８、凸部９）が形成されている。
【考案の効果】
【０００５】  この考案によれば、テーブル用折りたたみ脚の連結金具にねじれ防止構造を設けたことで、連結金具本体がねじれることなく強度が強くなる。
【考案を実施するための最良の形態】
【０００６】  この考案の一実施形態を、図１に示す。
テーブル用折りたたみ脚の連結金具本体は鉄製であり、天板用金具１と脚用金具２を軸３を中心に回動できるように連結し、ロック杵４を切欠溝５に係合することでテーブルとして機能することができる構造である。【０００７】  上記した連結金具１の天板接地面６と、脚接地面７にそれぞれ凸部８，９をプレス加工にて形成することでねじれ防止構造を設ける。
【実施形態の効果】
【０００８】  この実施形態によれば、凸部８、９の働きで、連結金具本体に対する横荷重や斜め荷重などがかかった場合でも、連結金具本体はねじれにくい。
【図面の簡単な説明】
【０００９】
【図１】連結金具の上方からの斜視図である。
【図２】連結金具の下方からの斜視図である。
【図３】テーブルとして構成された状態の参考斜視図である。
【図４】従来の連結金具の説明図である。
【符号の説明】
【００１０】１  天板金具
２  脚金具
３  軸
４  ロック杵
５  切欠溝
６  天板接地面
７  脚接地面
８  凸部
９  凸部
１０  連結金具
１１  天板
１２  脚
【図１】
0003137514.tif 000003
【図２】
0003137514.tif 000004
【図３】
0003137514.tif 000005
【図４】
0003137514.tif 000006
【手続補正書】
【提出日】平成19年8月27日(2007.8.27)
【手続補正１】
【補正対象書類名】実用新案登録請求の範囲
【補正対象項目名】全文
【補正方法】変更
【補正の内容】
【実用新案登録請求の範囲】
【請求項１】
テーブルの天板と脚を連結し、折たたむことができるテーブル用折りたたみ脚の連結金具において、天板接地面に取り付ける天板金具および脚接地面に取り付ける脚金具それぞれに凸部を形成するためのプレス加工を施し、連結金具本体のねじれを防止することを特徴とする、ねじれ防止構造を有するテーブル用折りたたみ脚の連結金具。
【請求項２】
請求項１記載のテーブル用折りたたみ脚の連結金具は、天板に背板を固着し両側から直角方向に折曲してなる両側板の一方の側板に切欠溝を形成した天板金具と、直角方向に曲折している脚体の形状に合わせた背板を固定し両側から直角方向に折曲してなる両側板の一方の側板に長溝を形成した脚金具とを、前記した両側板が当接するように位置させて対象位置に設けた軸を中心にして回動できるように結合し、しかも脚金具の両側板の一方に端部を浮遊状に係止し、多端部を前記した長溝および切欠溝を貫通させ天板金具の一方の側板外に延出したロック軸を、ばねによって常態において天板の背板方向に引っ張るようにして構成したねじれ防止構造を有するテーブル用折りたたみ脚の連結金具。
(57)【要約】【課題】従来のライフジャケットは浮くだけのものでしたが、救助具を備えた物にして救助を容易にならしめた【解決手段】全体を補強し、カラビナを取り付けたら簡単に救助できる。【選択図】図１
0003137517.tif 000002
【実用新案登録請求の範囲】
【請求項１】
（１）ライフジャケットに救助を容易にするカラビナを取り付ける
（２）人を吊り上げられるように、ナイロンテープ及びスリングで補強する。
【請求項２】
救助側のロープにも、カラビナと接続しやすくカンを付け、吊り上げ安くする。
【考案の詳細な説明】
【考案の詳細な説明】
海難救助において、従来のライフジャケット着用して漂流した場合、２名の救助員が必要で、しかも救助具が無ければ救助は困難であったところ、救助員が１名または、いなくても漂流者に意識があれば救助員、救助具無しでも救助することができる。また、危険で救助困難な場所においても救助を容易にすることができる。
以上のように、救助を簡単かつ、容易に行えるよう改善した物である。
【図１】
0003137517.tif 000003
【図２】
0003137517.tif 000004
【手続補正書】
【提出日】平成19年7月13日(2007.7.13)
【手続補正１】
【補正対象書類名】明細書
【補正の内容】
0003137517.tif 000005
0003137517.tif 000006
0003137517.tif 000007
【手続補正書】
【提出日】平成19年9月13日(2007.9.13)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
ライフジャケットに、ナイロンテープ及びスリリングで補強し、救助を容易にするカナビラを取り付けた救助具を備えた救命胴衣
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【考案の詳細な説明】
海難救助において、従来のライフジャケット着用して漂流した場合、２名の救助員が必要で、しかも救助具がなければ救助は困難であったところ、救助員が１名またはいなくても、漂流者に意識があれば救助員・救助具が無しでも救助することができる。
以上のように、救助を簡単かつ、容易に行えるよう改善した物である。
【図面の簡単な説明】
【図１】は平面図である。
(57)【要約】【課題】外出中に携帯電話の充電切れが発生してもすぐに充電が出来るようにする。【解決手段】携帯電話本体１の上部にソーラーパネル３を接着剤でとりつけることによって太陽などの光で充電を出来るよにした。【選択図】図２
0003137511.tif 000002
【実用新案登録請求の範囲】
【請求項１】
本考案は、外出時の携帯電話の充電不足・充電切れを解決する為に、折りたたみ式携帯電話の上部にソーラーパネル（ソーラー発電システム）を装着し、太陽光などの光で充電不足を解消したものである。
以上が考案した、実用新案である。
【考案の詳細な説明】
【技術分野】
【０００１】本考案は、外出時の携帯電話の充電不足を解決する為に、折りたたみ式携帯電話の上部にソーラーパネル（ソーラー発電システム）を装着し、太陽光で充電不足を解消したものである。
【背景技術】
【０００２】従来は、ソーラーパネル（ソーラー発電システム）付携帯電話がなかった。
【考案の開示】
【考案が解決しようとする課題】
【０００１】外出中に携帯電話を、多く使用すると携帯電話の充電がはやく無くなり使用が、不可になるという問題点があった。
【課題を解決するための手段】
【０００２】外出中に充電切れ・充電不足を防ぐため、携帯電話本体１の上部にソーラーパネル（ソーラー発電システム）４、をとりつけることによって太陽光などの光で充電を出来るようにした。
【考案の効果】
【０００３】携帯電話にソーラーパネル（ソーラー発電システム）をとりつけることによって外出中による充電切れが解消され、充電電気料金を削減、省エネになる。
【図面の簡単な説明】
【図１】携帯電話本体とソーラーパネル（ソーラー発電システム）を示した平面図（真上から見た平面図）である。
【図２】携帯電話にソーラーパネルをとりつけた状況を示す平面図（横から見た平面図）である。
【符号の説明】
１、携帯電話本体（折り畳み式）
２、携帯電話上面（真上）
３、ソーラーパネル（ソーラー発電システム）とりつけ線
４、ソーラーパネル（ソーラー発電システム）
５、液晶画面
【図１】
0003137511.tif 000003
【図２】
0003137511.tif 000004
【手続補正書】
【提出日】平成19年8月22日(2007.8.22)
【手続補正１】
【補正対象書類名】実用新案登録請求の範囲
【補正対象項目名】全文
【補正方法】変更
【補正の内容】
【実用新案登録請求の範囲】
【請求項１】
本考案は、外出時の携帯電話の充電不足・充電切れを解決する為に、折りたたみ式携帯電話の上部にソーラーパネルを装着し、太陽光などの光で充電不足を解消したものである。
以上が考案した、ソーラーパネル付携帯電話である。
【手続補正３】
【補正対象書類名】明細書
【補正対象項目名】全文
【補正方法】変更
【補正の内容】
【考案の詳細な説明】
【技術分野】
【０００１】本考案は、外出時の携帯電話の充電不足を解決する為に折りたたみ式携帯電話の上部にソーラーパネルを装着し、太陽光で充電不足を解消したものである。
【背景技術】
【０００２】従来は、ソーラーパネル付携帯電話がなかった。
【考案の開示】
【考案が解決しょうとする課題】
【０００１】外出中に携帯電話を、多く使用すると携帯電話の充電がはやく無くなり使用が、不可になり外出時のバッテリー充電が困難にるという問題点があった。
【課題を解決すための手段】
【０００２】外出中に充電切れ・充電不足を防ぐため、携帯電話本体１の上部にソーラーパネル３、を取り付けることによって太陽光などの光で充電を出来るようにした。
【考案の効果】
【０００３】携帯電話にソーラーパネルを取り付けることによって外出中による充電切れが解消され、充電電気料金を削減、省エネになる。
【図面の簡単な説明】
【図１】携帯電話本体にソーラーパネルを接着剤で取り付けた状況を示した平面図である。
【図２】携帯電話本体にソーラーパネルを接着剤で取り付けた切断面である。
【符号の説明】
１、携帯電話本体
２、ソーラーパネルとりつけ線
３、ソーラーパネル
４、導線
５、液晶画面
６、バッテリー
【手続補正４】
【補正対象書類名】図面
【補正対象項目名】全図
【補正方法】変更
【補正の内容】
【図１】
0003137511.tif 000005
【図２】
0003137511.tif 000006
(57)【要約】【課題】スリッパの向きや体の向きを変える事なく前後から履く事ができベルト取り外し、可動により足の甲に当たるベルトを２つ付けず踏む事なく衛生面を考え持ち運び、保管に便利でありスリッパ底部に滑り止め効果のある材質を使用する事で安全性も考え全体的に丸みのあるデザインにしベルト取り外し、可動であるドット釦の形や色を変える事によりデザイン性も解決しようと考えた。【解決手段】足の甲に当たる取り外しベルト（１ａ）が両側になるドット（２ａ）（２ｂ）により取り外せ可動させる事により前後どちらからでも履け、ドット釦（２ａ）（２ｂ）により足の甲に当たる取り外しベルト（１ａ）が可動する為、前後どちらから履いても足の甲に傾きフィットさせ足の甲に当たるベルトを１つにし足で踏む事を避け、さらに取り外せば型崩れをせず保管、持ち運びができる。【選択図】図１
0003137546.tif 000002
【実用新案登録請求の範囲】
【請求項１】
前後どちらからでも履く事ができ足の甲に当たるベルトの両側にドット釦を付ける事によりベルトがスライドしどちらから履いても足にフィットしまた、ベルトを外す事によりベルトを足で踏む事なく衛生面も安心で保管や運搬に便利なスリッパである。
【考案の詳細な説明】
【技術分野】
【０００１】本考案は、スリッパの向きや体の向きを変える事なく前後から履く事ができるスリッパである。
【背景技術】
【０００２】従来のスリッパは固定式で一方向から履くか片方を踏んだ形で使用する為、足がスリッパの形に合わせて履き心地、衛生面で不便に感じた。
【考案の開示】
【考案が解決しようとする課題】
【０００３】スリッパの向きや体の向きを変える事なく前後から履く事ができベルト取り外し・可動により足の甲に当たる取り外しベルト（１ａ）を踏む事なく衛生面を考え持ち運び・保管に便利でありスリッパ底部（４）に滑り止め効果のある材質を使用する事で安全性も考え全体的に丸みのあるデザインにしベルト取り外し・可動部分であるドット釦（２ａ）（２ｂ）の形や色を変える事によりデザイン性も解決しようと考えた。
【課題を解決するための手段】
【０００４】足の甲に当たる取り外しベルト（１ａ）が両側になるドット釦（２ａ）（２ｂ）により取り外せ可動させる事により前後どちらからでも履けドット釦（２ａ）（２ｂ）により足の甲に当たる取り外しベルト（１ａ）を足で踏む事を避け衛生面も安心で保管や運搬に便利なスリッパである。
【考案の効果】
【０００５】足の甲に当たる取り外しベルト（１ａ）が取り外し・可動する事により前後関係なく履く事ができ従来のように片方のベルト部分を踏んで使用しないので大勢の人が利用する場合の衛生面でも安心で実用的である。特にスリッパを必要とする入院中のベッド・段差・荷物を持ったままなど無理な体勢で片手を伸ばしスリッパの向きを変える事のない便利な履物でありスリッパ底部（４）に滑り止め効果のある材質を使用るす事により安全性を加え大人から子供、介護、重労働の現場などに提供したい。また、足の甲に当たる取り外しベルト（１ａ）が取れる為、型崩れなくコンパクトに保管できるのでいざという時の非難物の一つとしても便利である。
【考案を実施するための最良の形態】
【０００６】この考案は、前後どちらからでも履ける事によりベッドの乗り降り、段差、荷物を持ったままなど無理な体勢で片手を伸ばしスリッパの向きを変えず前後どちらから履いても足の甲に当たるベルトが足の甲に沿って傾く為、フィットしベルトを踏まないで利用できる衛生的にも安心で便利な履物である。また、足の甲に当たるベルトが取り外せる為、運搬・保管に適し災害などの避難用に提案する。
【実施例】
【０００７】図１、ドット釦（２ａ）（２ｂ）により取り外しベルト（１ａ）が取り外せ図３、のようになり型崩れなく持ち運び保管する事ができる。【０００８】図１、ドット釦（２ａ）（２ｂ）により取り外しベルト（１ａ）を付けた場合、図２、のように履いた方向の足の甲の向きに取り外しベルト（１ａ）が傾き前後どちらから履いても足にフィットする。
【図面の簡単な説明】
【０００９】
【図１】斜視図である。
【図２】側面図である。
【図３】平面図である。
【符号の説明】
【０００１０】１ａ、取り外しベルト
１ｂ、取り外しベルト固定部
２ａ、ドット釦
２ｂ、ドット釦
３、スリッパ上部
４、スリッパ底部
【図１】
0003137546.tif 000003
【図２】
0003137546.tif 000004
【図３】
0003137546.tif 000005
(57)【要約】      （修正有）【課題】昼間の太陽光線を利用してソーラーパネルを以って発電し、これをバッテリーによって蓄電したものを、夜間を通じて一日中案内板を確認したり、移動体通信パネルによって各種の情報、バス路線、各種の広告、宣伝に供するものである。【解決手段】案内板本体１の下部よりバッテリー４を内蔵した基台２と、その上部に液晶パネルよりなる移動体通信パネル５と時刻表６を設けた案内部３を装設し、その案内部の上部にソーラーパネル７を装設した事を特徴とする。【選択図】図１
0003137544.tif 000002
【実用新案登録請求の範囲】
【請求項１】
案内板本体（１）には、最下部にバッテリー（４）を内蔵した基台（２）を設置し、該基台（２）の上部には、連結杆（８）を介在して案内部（３）を設け、該案内部（３）には、上部に液晶パネルよりなる移動体通信パネル（５）を設けると共に、下部に発光ダイオードよりなるガラス製の時刻表（６）を据え付け、且つ該案内部（３）には、最上部にソーラーパネル（７）を装設した事を特徴とするモバイルパネル版付バス停留所案内板。
【考案の詳細な説明】
【技術分野】
【０００１】  本考案は、昼間の太陽光線をソーラーパネルを以って電気を発電し、これをバッテリーによって蓄電し、夜間を通じて一日中案内板を確認できると共に、移動体通信パネルに各種の情報、バス路線に関係ある各種の広告宣伝をする事を目的としたモバイルパネル版付バス停留所案内板に関するものである。
【背景技術】
【０００２】  従来この種における停留所の立設されている案内板は、時刻表、行き先の表示及び一部に広告宣伝を表示したものが一般に散見されている現状である。
【考案の開示】
【考案が解決しようとする課題】
【０００３】  本考案は、上記従来で述べている各種の構成を全体的に改良したものである。
即ち、従来のものは、夜間では案内板の時刻表が読めない不便さ、及びバス本社よりの事故、渋滞等の情報が知らされず、且つ広告宣伝は、ポスターを張替える等の方法が一般的であるため、製作に要する手間と費用が大変に掛かる問題点がある。
本考案は、以上の各問題点に解決したものであって、その主たる目的とする所は、案内板に対する広告の張替えに要する費用が節約できると共に、写真を記憶した携帯電話であれば、短距離無線機能を有する液晶パネルに向って携帯番号を押せば瞬時に広告等を変更できるものである。
また、携帯電話機能の据え付けにより、バス本社からの送信により広告宣伝の原稿写真等は、瞬時に変更できるものである。
更に、内蔵された携帯電話機能を一部変更して、カメラ装置を設置することにより防犯にも役に立ち、将来、地域を網羅するバス本社の無線基地局としての利用価値を拡大するものである。
また、案内部の据え付けた機能の一部に、バスの通過したことが時間と共に、本社に送信されることにより、円滑の運行形態がバス本社にて確認されるモバイルパネル版付バス停留所案内板を提供しようとするものである。
【課題を解決するための手段】
【０００４】  上記目的を達成するために、本考案によれば、案内板本体は、縦型に立設され、最下端にバッテリーを内蔵した基台を設置する。該基台の上部に案内部を立設する。この案内部には、上部に液晶パネルよりなる移動体通信パネル装設し、その下部に発光ダイオードの消費電力の極端に少ないガラス製の時刻表を装設する。
また、液晶広告である該案内部には、その上部に電気を発電及び蓄電するソーラーパネルを据え付けることを特徴とする。
【考案の効果】
【０００５】  本考案によれば、従来の案内板と異なり、宣伝広告を製作及び張替え等の手間と費用が不要となる効果と、夜間でも案内部の時刻が容易に読める便利な効果がある。そして、案内板本体の最下部に設けたバッテリーを内蔵した基台によれば、重量のある安定した案内板を装設でき、且つ最上部に設けたソーラーパネルによって太陽光を受けて電気を発電及び蓄電できるので、電気は半永久的に補給する必要がなく、使用できると云う実利的な効果がある。また、案内部の上部に設けた移動体通信パネル（液晶広告板）の内部には、ＩＣチップ及びミニカード差込機能と、短距離無線機能（ブルーツース機能）及び携帯電話機能を据え付けると云う便利な効果がある。更に、該案内部の下部に装設した時刻表によれば、発光ダイオード（ＬＥＤ）による消費電力の少ない効果と、ガラス製の時刻表のため、夜間においても案内板の時刻が容易に読める便利な効果がある。また、該移動体通信パネルに各種の広告宣伝をすることによって、収入を得ることによって案内板の製作費用を廉価にできる利点がある。
【考案を実施するための最良の形態】
【０００６】  次に、本考案の最良の用法を説明すると、案内板本体は、昼間の太陽光ソーラーパネルから蓄電され、夜間においても、案内板の時刻表が読めるように通電する。液晶パネルよりなる移動体通信パネルには、バス等の本社よりの事故、渋滞等の情報を文字によって該移動体通信パネルより流れるようにする。また、該移動体通信パネルは、地震等の発生や避難勧告を知らせる官公庁の情報も同様に流れるようにする。
更に、該移動体通信パネルには、特にバス路線に関係する地域に密着した飲食店、物品販売店の宣伝等にも使用できるものである。
【実施例】
【０００７】  本考案の実施例を図面について説明すると、図面の示す如く、案内板本体（１）には、最下部にソーラーパネル（７）より蓄電するバッテリー（４）を内蔵した基台（２）を設置する。該基台（２）には、連結杆（８）を介して上部に案内部（３）を立設する。該案内部（３）には、上部に各種の情報が流れる液晶パネルよりなる移動体通信パネル（５）と、下部には、夜間でも読めるようにした発光ダイオードのパネル等よりなるガラス製の時刻表（６）を装設してある。
該案内部（３）には、連結杆（８）等を介して最上部に各種の形状よりなる昼間の太陽光を充分に受けるためのソーラーパネル（７）を装設したものである。
【図面の簡単な説明】
【０００８】
【図１】  本考案のモバイルパネル版付バス停留所案内板を示す正面図である。
【符号の説明】
【０００９】１          案内板本体
２          基台
３          案内部
４          バッテリー
５          移動体通信パネル
６          時刻表
７          ソーラーパネル
８          連結杆
【図１】
0003137544.tif 000003